(57)【要約】【課題】正面部材の戸板閉鎖時には居住空間に違和感を与えず、一見して、タンスなど一般家具のように視認され、インテリアデザインに違和感を与えることなく、開放時においても仏壇の幅を越えず、格式高いデザインを保ちつつ、かつ心の空間をも確保できる仏壇を開発すること。【解決手段】側部構造体と該側部構造体に開閉可能に支持された４枚の戸板とからなり、前記戸板が、回動部材によって左右２枚ずつ中折れ式かつ観音開き式に開閉されるよう、前記側部構造体に含まれる左右の框に軸支され、前記４枚の戸板のそれぞれと、前記框が同一の幅を持つことにより、前記戸板の開放時に前記框とすべての前記戸板とが正面視で重ね合わされてなる。【選択図】図４
0003138497.tif 000002
【実用新案登録請求の範囲】
【請求項１】
側部構造体と、該側部構造体に開閉可能に支持された４枚の戸板とからなり、
前記戸板が、回動部材によって左右２枚ずつ中折れ式かつ観音開き式に開閉されるよう、前記側部構造体に含まれる左右の框に軸支され、
前記４枚の戸板のそれぞれと、前記框が同一の幅を持つことにより、
前記戸板の開放時に前記框とすべての前記戸板とが正面視で重ね合わされてなる仏壇。
【考案の詳細な説明】
【技術分野】
【０００１】
本考案は、仏壇に関する。さらに詳しくは、側部構造体と、該側部構造体に開閉可能に支持された４枚の戸板からなり、前記戸板が、回動部材によって左右２枚ずつ中折れ式かつ観音開き式に開閉されるよう、前記側部構造体に含まれる左右の框に軸支され、前記４枚の戸板のそれぞれと、前記框が同一の幅を持つことにより、前記戸板の開放時に前記框とすべての前記戸板とが正面視で重ね合わされてなる仏壇に関する。
【背景技術】
【０００２】
従来、日本には、居住空間内に仏壇を設けて、亡くなった人を供養する習慣がある。しかし、現代では居住空間全体に統一性や整合性を持たせた設計デザインが好まれる傾向もあり、求められるインテリアデザインに違和感を与えることのない、ハイセンスで種々のニーズに応じた仏壇が注目されている。
【考案の開示】
【考案が解決しようとする課題】
【０００３】
本考案は、正面部材の戸板閉鎖時には居住空間に違和感を与えず、一見して、タンスなど一般家具のように視認され、インテリアデザインと調和し、開放時においても格式高いデザインを保ちつつ、かつ心の空間をも確保できる仏壇を開発することを目的とする。
【課題を解決するための手段】
【０００４】
本考案の仏壇は、側部構造体と該側部構造体に開閉可能に支持された４枚の戸板とからなり、前記戸板が、回動部材によって左右２枚ずつ中折れ式かつ観音開き式に開閉されるよう、前記側部構造体に含まれる左右の框に軸支され、前記４枚の戸板のそれぞれと、前記框が同一の幅を持つことにより、前記戸板の開放時に前記框とすべての前記戸板とが正面視で重ね合わされてなることを特徴としている。
【考案の効果】
【０００５】
本考案によれば、戸板閉鎖時には居住空間に違和感を与えず、一見して、タンスなど一般家具のように視認され、戸板開放時には仏壇として機能し、なおかつ戸板がコンパクトかつ整然と框に重ね合わされた状態を演出することにより、閉鎖時にはインテリアデザインと調和し、開放時においても仏壇の幅を越えず、格式高いデザインを保ちつつ、かつ現代人の心の空間をも確保できる仏壇を設置することができる。
【考案を実施するための最良の形態】
【０００６】
本考案にかかわる仏壇は、側部構造体と該側部構造体に開閉可能に支持された４枚の戸板とからなり、前記戸板が、回動部材によって左右２枚ずつ中折れ式かつ観音開き式に開閉されるよう、前記側部構造体に含まれる左右の框に軸支され、前記４枚の戸板のそれぞれと、前記框が同一の幅を持つことにより、前記戸板の開放時に前記框とすべての前記戸板とが正面視で重ね合わされてなる。
【０００７】
なお、本考案において、側部構造体とは、仏壇の両側面に形成された部分のことをいう。また、框とは、側部構造体の一部であり、かつ、仏壇正面部に形成された部分のことをいう。
【０００８】
以下、添付図面を参照して、本考案の仏壇を詳細に説明する。
【０００９】
図１は、本考案の仏壇の一実施形態（実施の形態１）における正面図である。図２は、本考案の仏壇の一実施形態（実施の形態１）における戸板開放時の正面図である。図３は、本考案の仏壇の一実施形態（実施の形態１）における部分側面図である。図４は、本考案の仏壇の一実施形態（実施の形態１）の上面断面図であり、図４（ａ）は、戸板閉鎖時、図４（ｂ）は、戸板開放時である。図５（ａ）および（ｂ）は、本考案の仏壇における側部構造体の他の実施態様を説明するための図である。
【００１０】
実施の形態１
実施の形態１の仏壇１は、図１、図２に示されるように、側部構造体２に開閉自在に支持された第一の戸板３ｂと、第一の戸板３ｂに回転自在に支持された第二の戸板３ｃと、前記側部構造体２に支持され、かつ第一の戸板３ｂ、第二の戸板３ｃおよび框３ａとからなる正面部材３の内側に設けられた１個または複数個の棚４（図２では３個の場合を例示）と、前記棚４を支持する側部構造体２とから構成されている。
【００１１】
前記正面部材３は、左右の框３ａと４枚の戸板（第一の戸板３ｂと第二の戸板３ｃ）によって構成されている（図３、図４（ａ）、図４（ｂ）では４枚の戸板が中折れ式かつ観音開き式に２枚ずつ左右に開閉できるよう、左右の框３ａと回動部材５で連結されている場合を例示）。なお、戸板の枚数は４枚に限定されることはなく、２以上の偶数枚において自由に選択できる。なお、本実施の形態で用いる回動部材５としては、当業者に自明の各種ヒンジを用いることができるが、出願人が発明したストレートタイプの特殊な蝶番（特許第３７７４１７４号）を用いることにより、設置部材同士の隙間をほとんど無くすことのできるため、より外観上の見栄えを向上させることができ、好ましい。本実施の形態では、框３ａと第一の戸板３ｂの連結には一般的なヒンジ５ａを用いており、第一の戸板３ｂと第二の戸板３ｃの連結には前述のストレートタイプの蝶番５ｂを用いている。なお、第一の戸板３ｂのヒンジ５ａ設置箇所に対し、対角位置にストレートタイプの蝶番５ｂを設置することにより、中折れ式に開閉することができる。また、戸板を開閉する際の利便性から、第二の戸板３ｃの底部には手がかり３ｄが設けられている。また、すべての戸板（３ｂ、３ｃ）および框（３ａ）は図４（ａ）、図４（ｂ）に示されるように、戸板の開放時に正面視で重ね合わせることができるよう、同一幅である。なお、本考案において、幅とは、図４（ｂ）におけるＡの寸法のことをいう。
【００１２】
上記のように、手がかり３ｄが第二の戸板３ｃの底部に設けられているため正面視では視認できず、かつすべての戸板閉鎖時には、段差なく４枚の戸板が並列しているため、一見して仏壇と視認されることは少ない。そのため、居住空間に違和感を与えることなく、むしろ整合性を高めることが可能である。側部構造体２をはじめ、仏壇の外装部位にたとえば黒檀、紫檀やウォールナットといった木材を使用した場合、インテリアに落ち着きある印象を与えることができる。
【００１３】
側部構造体２は、前記棚４を支える部材である。
【００１４】
前記棚４は、花瓶を設置したり、香炉や位牌などの各種仏具を置く須弥壇として機能する。
【００１５】
図５は、本考案の仏壇における、側部構造体の他の実施形態の一例である。図５（ａ）における、側部構造体２は、水平方向の断面図において、内側面が、凹状に形成されている。この実施形態においても、框とは、側部構造体の一部であり、かつ、仏壇の正面に形成された部分をいう。
【００１６】
図５（ｂ）における、側部構造体２は、水平方向の断面図において、正面から奥行き方向までの幅が框の幅と同一に形成されている。
【００１７】
なお、側部構造体の形状は、図４、図５に示す形状に限られるものではなく、種々の設計変更が可能である。
【００１８】
以上、本考案の仏壇によれば、回動部材を用いて戸板を框に中折れ式かつ観音開き式に開閉できるよう軸支することにより、戸板の閉鎖時には居住空間に違和感を与えず、一見して、タンスなど一般家具のように視認され、インテリアデザインと調和し、開放時においても仏壇の幅を越えず、格式高いデザインを保ちつつ、かつ心の空間をも確保できる。それにより、日常生活において仏への信仰を深めること、先祖を供養することの一助とすることが可能である。
【図面の簡単な説明】
【００１９】
【図１】本考案の仏壇の一実施形態（実施の形態１）における正面図である。
【図２】本考案の仏壇の一実施形態（実施の形態１）における戸板開放時の正面図である。
【図３】本考案の仏壇の一実施形態（実施の形態１）における部分側面図である。
【図４】本考案の仏壇の一実施形態（実施の形態１）の上面断面図である。
【図５】本考案の仏壇の側部構造体の他の実施形態を説明するための図である。
【符号の説明】
【００２０】
１    仏壇
２    側部構造体
３    正面部材
３ａ  框
３ｂ  第一の戸板
３ｃ  第二の戸板
３ｄ  手がかり
４    棚
５    回動部材
５ａ  ヒンジ
５ｂ  ストレートタイプの蝶番
【図１】
0003138497.tif 000003
【図２】
0003138497.tif 000004
【図３】
0003138497.tif 000005
【図４】
0003138497.tif 000006
【図５】
0003138497.tif 000007